(57)【要約】      （修正有）【課題】ハンドルカバーを用いずに、ハンドル本体の内部を空洞にしたり、ハンドル本体の内部に重りを収容したりすることが容易なマッサージ器を提供する。【解決手段】マッサージ器は、ハンドル２と、端部キャップ３と、ハンドル２の先端の分岐部に回転可能に取り付けられた一対の回転体４とを備える。ハンドル２の内部は、空洞となっているか、若しくは、重り７ａを有する。端部キャップ３の内部は、空洞となっているか、若しくは、重り７ｂを有する。端部キャップ３は、ハンドル２の端部の開口部２ｃに挿入されて、開口部２ｃを蓋する構成とする。【選択図】図６
2020022777.tif 000002
【特許請求の範囲】
【請求項１】
一端に回転可能に取り付けられた２つの回転体を備えるマッサージ器であって、
一端に分岐部を有し、当該分岐部で前記２つの回転体を回転可能に支持し、内部で第１の重りを収容する湾曲した形状のハンドルと、
前記ハンドルの他端で、前記内部とつながっている開口部を蓋するための端部キャップとを備え、
前記端部キャップの内部には、第２の重りが収容されており、
前記第２の重りには、重りの向きを示す溝が設けられており、
前記端部キャップの内部には、前記溝に対応する凸部が設けられており、
前記溝が前記凸部に差し込まれることで、前記第２の重りの取付位置の間違いが防止されることを特徴とする、マッサージ器。
【請求項２】
前記回転体は、貫通孔を有しており、
前記マッサージ器は、さらに、
前記貫通孔に挿入される支持軸と、
前記支持軸の先端に取り付けられており、前記貫通孔を蓋するキャップ部とを備えることを特徴とする、請求項１に記載のマッサージ器。
【請求項３】
前記マッサージ器は、さらに、
前記回転体の内部に圧入される保持部と、
前記保持部の片側又は両側に挿入されると共に、前記支持軸に挿入される一以上の軸受と、
前記支持軸の先端側に取り付けられた抜け止め部とを備えることを特徴とする、請求項２に記載のマッサージ器。
【請求項４】
前記回転体は、前記キャップ部の回りに、半導体を含有する一以上の粒を配置していることを特徴とする、請求項２又は３に記載のマッサージ器。
【請求項５】
前記キャップ部の向きを揃えるための構造を有する、請求項２〜４のいずれかに記載のマッサージ器。
【請求項６】
前記支持軸の基端及び先端は、断面Ｄ状にカットされた形状を有し、
前記ハンドルの前記分岐部における前記支持軸の前記基端を挿入するための軸孔は、前記支持軸の前記基端のＤカット形状に合わせた形状を有しており、
前記キャップ部における前記支持軸の前記先端を挿入するための孔は、前記支持軸の前記先端のＤカット形状に合わせた形状を有していることを特徴とする、請求項５に記載のマッサージ器。
【発明の詳細な説明】
【技術分野】
【０００１】
本発明は、回転可能なローラによって、皮膚をマッサージすることにより、美容効果を期待するマッサージ器に関する。
【背景技術】
【０００２】
特許文献１には、ハンドル本体の長手方向の一端に一体的に形成された一対の分岐部に挿通されたローラシャフトに回転可能に支持された一対のローラを用いた美容器が開示されている。当該ハンドル本体は、太陽電池パネルや必要な部品を収容するための凹部を有しており、当該凹部を蓋するハンドルカバーを有している。当該ハンドルカバーは、太陽電池パネルと対向する側であって、ローラシャフトが傾斜する側に設けられている。
【先行技術文献】
【特許文献】
【０００３】
【特許文献１】特許第6121026号公報
【発明の概要】
【発明が解決しようとする課題】
【０００４】
一対のローラの回転による肌の摘まみ上げ作用によって、美容効果をもたらすマッサージ器においては、太陽電池パネルの存在は必須ではなく、太陽電池パネルを用いない場合、ハンドル本体は、特許文献１に記載の構造に限定されるものではない。
【０００５】
太陽電池パネルを用いない場合、ハンドル本体の内部を空洞としたり、若しくは、ハンドル本体の重さを調整するための重りを内部に収容する場合がある。これらの場合に、ハンドルカバーを用いるとすると、ハンドル本体とハンドルカバーとの間のガタツキが生じたり、ハンドル本体の内部に重りを収容し難くなったりするという問題がある。
【０００６】
それゆえ、本発明は、ハンドルカバーを用いずに、ハンドル本体の内部を空洞にしたり、ハンドル本体の内部に重りを収容したりすることが容易なマッサージ器を提供することを目的とする。
【課題を解決するための手段】
【０００７】
本発明は、一端に回転可能に取り付けられた２つの回転体を備えるマッサージ器であって、一端に分岐部を有し、当該分岐部で２つの回転体を回転可能に支持し、内部で第１の重りを収容する湾曲した形状のハンドルと、ハンドルの他端で、内部とつながっている開口部を蓋するための端部キャップとを備え、端部キャップの内部には、第２の重りが収容されており、第２の重りには、重りの向きを示す溝が設けられており、端部キャップの内部には、溝に対応する凸部が設けられており、溝が凸部に差し込まれることで、第２の重りの取付位置の間違いが防止されることを特徴とする。
【０００８】
一実施形態として、回転体は、貫通孔を有している。マッサージ器は、さらに、貫通孔に挿入される支持軸と、支持軸の先端に取り付けられており、貫通孔を蓋するキャップ部とを備える。
【０００９】
一実施形態として、マッサージ器は、さらに、回転体の内部に圧入される保持部と、保持部の片側又は両側に挿入されると共に、支持軸に挿入される一以上の軸受と、支持軸の先端側に取り付けられた抜け止め部とを備える。
【００１０】
回転体は、キャップ部の回りに、半導体を含有する一以上の粒を配置しているとよい。  
【００１１】
好ましくは、マッサージ器は、キャップ部の向きを揃えるための構造を有するとよい。
【００１２】
たとえば、支持軸の基端及び先端は、断面Ｄ状にカットされた形状を有する。ハンドルの分岐部における支持軸の基端を挿入するための軸孔は、支持軸の基端のＤカット形状に合わせた形状を有する。キャップ部における支持軸の先端を挿入するための孔は、支持軸の先端のＤカット形状に合わせた形状を有する。
【発明の効果】
【００１３】
本発明によれば、端部キャップ部をハンドルの他端の開口部に取り付けることで、ハンドルカバーを用いずに、簡易な構造で、ハンドルの内部に重りを入れることが可能となる。
【００１４】
重りを２つに分割して、一方の重りをハンドルの内部に収容し、他方の重りを端部キャップの内部に収容するようにすることで、ハンドルが湾曲していたとしても、端部キャップ及びハンドルの全体に重りを収容することが可能となる。さらに、端部キャップの内部に収容される第２の重りに溝を設け、当該溝に対応する凸部を端部キャップの内部に設けることで、第２の重りの取付位置の間違いが防止される。マッサージ器は主に、樹脂成形品で構成されているが、回転体の方が重くなる傾向にある。そのため、使用時に、ハンドル側に重りを入れることで、全体の荷重バランスが整い、マッサージ時に使用しやすくなる。また、ハンドルを湾曲させることで、マッサージがし易くなるため、重りによる荷重バランスの整合と相まって、使い勝手がさらに良くなる。ハンドルの湾曲方向としては、回転体の支持軸の傾斜方向にハンドルが湾曲してもよいし（すなわち、図４に示すように湾曲してもよいし）、支持軸の傾斜方向とは逆の方向にハンドルが湾曲してもよい（すなわち、図４に示す湾曲とは逆に、上側にハンドルが反り返るような湾曲でもよい）。
【００１５】
回転体に貫通孔を形成して、キャップ部で、貫通孔を蓋する構造とすれば、回転体を支持軸への取付が容易になるばかりでなく、支持軸から回転体が抜けるのを防止しつつ、さらに、回転体とキャップ部との間のクリアランスを小さくすることで、回転体とキャップ部との間のクリアランスに、皮膚が巻き込まれるといったトラブルも発生しないようにすることが可能である。
【００１６】
回転体の内部に圧入される保持部を設けることで、回転体の製造が容易になる。また、保持部を金属製にすれば、回転体側を重くすることができるので、マッサージがし易くなる。保持部に、支持軸を挿入するための軸受を用いれば、回転が円滑になる。支持軸の先端にキャップ部を用いることで、貫通した回転体を、あたかも、非貫通の回転体かのような外形にすることができるので、デザイン面での効果に加えて、非貫通の回転体と同様のマッサージ効果を得ることが可能となる。
【００１７】
キャップ部の回りに、粒を配置すれば、半導体による美容効果を期待しつつ、優れた意匠を提供することが可能となる。
【００１８】
キャップ部の向きを揃える構造とすることで、キャップ部にロゴやイラストなどの装飾を施したとしても、一定の向きに、当該装飾が揃うように、製造しやすくなる。そのための構造として、Ｄカット構造を利用すれば、安価に、装飾が揃う構造を採用することが可能となる。
【００１９】
本発明のこれら、及び他の目的、特徴、局面、効果は、添付図面と照合して、以下の詳細な説明から一層明らかになるであろう。
【図面の簡単な説明】
【００２０】
【図１】図１は、本発明の一実施形態に係るマッサージ器１の平面図である。
【図２】図２は、マッサージ器１の左側面図である。
【図３】図３は、マッサージ器１の右側面図である。
【図４】図４は、図１おけるＡ−Ａ線の断面図である。
【図５】図５は、マッサージ器１の斜視図である。
【図６】図６は、マッサージ器１のハンドル部分の分解斜視図である。
【図７】図７は、図１におけるＢ−Ｂ線の断面図である。
【図８】図８は、重りを使用しないマッサージ器１のＡ−Ａ線断面図である。
【図９】図９は、端部キャップ３の内部に重りを収容しない場合のマッサージ器１の断面図である。
【図１０】図１０は、マッサージ器１の回転体４の内部構造の変形例１を示す分解斜視図である。
【図１１】図１１は、図１０の内部構造を用いた回転体４の内部構造を示す断面図である。
【図１２】図１２は、マッサージ器１の回転体４の内部構造の変形例２を示す分解斜視図である。
【図１３】図１３は、図１２の内部構造を用いた回転体４の内部構造を示す断面図である。
【図１４】図１４は、マッサージ器１の回転体４の内部構造の変形例３を示す分解斜視図である。
【図１５】図１５は、マッサージ器１の回転体４の内部構造の変形例４を示す断面図である。
【発明を実施するための形態】
【００２１】
マッサージ器１は、ハンドル２と、端部キャップ３と、一対の回転体４とを備える。ハンドル２は、一端にＹ字状に二股に分かれた分岐部２ａを有している。分岐部２ａに、一対の回転体４が回転可能に取り付けられている。ハンドル２と、端部キャップ３と、一対の回転体４とは、樹脂成形品である。
【００２２】
本発明において、回転体４の形状は特に限定されるものではなく、図示するような洋ナシ状の回転体以外に、球体状の回転体など、どのような形状であってもよい。また、回転体４の表面は、図では、多面体にカットされているが、当該表面形状についても、本発明を限定するものではない。
【００２３】
図７に示すように、分岐部２ａの先端には、軸孔２ｂが形成されており、軸孔２ｂに、支持軸４ａが挿入されている。なお、図７では、軸孔２ｂは非貫通のものであるとしているが、貫通であってもよい。
【００２４】
回転体４は、支持軸４ａを挿入するための貫通孔４ｅを有している。貫通孔４ｅには、軸受４ｃ，４ｄを配置するための段差が形成されている。当該段差に、軸受４ｃ，４ｄが配置されて、支持軸４ａが軸受４ｃ，４ｄに挿通されている。軸受４ｃ，４ｄとしては、転がり軸受や滑り軸受など、周知のあらゆる軸受を使用することができ、その構造は、本発明を限定するものではない。また、軸受は、少なくとも１つあればよい。また、回転体４の内部の貫通孔が滑りやすい素材で形成されているのであれば、軸受がなくてもよい。
【００２５】
支持軸４ａの軸受４ｄ側の端部には、抜け止め具４ｂが取り付けられており、支持軸４ａが回転体４から抜けないようになっている。抜け止め具４ｂは、ナットやリングなど周知の抜け止め手段である。
【００２６】
さらに、支持軸４ａの先端には、キャップ部５が取り付けられている。キャップ部５は、回転体４に設けられた貫通孔４ｅを隠すための部材である。キャップ部５と回転体４との間のクリアランスは、出来る限り小さくなるように設計されており。たとえば、当該クリアランスは、１ｍｍ以下となるように設計されている。これにより、支持軸４ａの回りを、キャップ部５とは独立して、回転体４ｇが回転することが可能となる。
【００２７】
ここでは、キャップ部５と抜け止め具４ｂとは、別部材であるとしたが、図７に示すような構造に限るものではない。たとえば、キャップ部５がナット構造となっており、キャップ部５自体が、抜け止め手段として機能するように構成してもよい。その際、軸受４ｄを配置する段差は、適宜、貫通孔４ｅの適切な位置に設ければよい。
【００２８】
回転体４の外観上、図２に示すように、キャップ部５と回転体４の表面とは、面一となっており、回転体４が貫通孔４ｅを有していたとしても、何ら、使用上、問題が生じることはない。回転体４とキャップ部５との間のクリアランスを１ｍｍ以下としておけば、当該クリアランスに、皮膚が巻き込まれるなどといった事態も生じない。
【００２９】
また、キャップ部５の回りに、たとえば、ゲルマニウムなど半導体を含有する粒６を一以上配置すれば、機能を付加しつつ、デザイン的にも、キャップ部５の存在が目立たなくなる。
【００３０】
当然、キャップ部５の色は、回転体４の表面と同一にしておけば、キャップ部５の存在はさらに目立たなくなるが、同一色に本発明が限定されるものではなく、逆に、キャップ部５を回転体４とは別色として、キャップ部５を目立たせる意匠的工夫がなされていてもよい。
【００３１】
図４に示すように、ハンドル２及び端部キャップ３の内部は空洞の筒状になっている。空洞部分に、重り７ａ，７ｂが収容されている。端部キャップ３は、ハンドル２の端部に開けられた開口部２ｃから挿入できるようになっている。ハンドル２と端部キャップ３とには、適宜、位置決め用の凹部と凸部が形成されているとよい。また。端部キャップ３は、ハンドル２にスナップ結合（スナップフィット）するように、適宜、弾性変形可能な爪部を有しているとよい。
【００３２】
ハンドル２は、湾曲した形状を有しているため、図４及び図６の重り７ａ及び重り７ｂに示すように、重りを２つに分割して、順番に、ハンドル２の内部の空洞に、重りを収容するようにするとよい。
【００３３】
ただし、ハンドル２の形状は、本発明を限定するものではなく、ハンドル２の形状によっては、重りを２つに分割することなく、１つの重りを内部に収容することも可能である。また、重りは、３つ以上に分割されていてもよい。
【００３４】
重りが、ハンドル２又は端部キャップ３の内部で、ずれないように、適宜、重りとハンドル２及び端部キャップ３とは、接着剤などで固定されているとよい。
【００３５】
また、端部キャップ３側の重り７ｂに設けられている溝７ｃのように、製造時に、重りの向きを間違わないように、適宜、溝や凹凸を、重り７ａ又は７ｂと、ハンドル２又は端部キャップ３の内部に設けておくとよい。図４に示す例では、重り７ｂに設けられた溝７ｃと、端部キャップ３の内部に設けられた凸部３ａとが、重り７ｂの取付位置の間違いを防止するために機能している。
【００３６】
本実施形態では、ハンドル２の内部に、開口部２ｃから、細長い方の重り７ａを挿入し、その際、適宜、接着材で、重り７ａとハンドル２とを固定する。そして、短い方の重り７ｂを端部キャップ３に挿入し、その際、適宜、接着材で、重り７ｂと端部キャップ３とを固定する。そして、重り７ｂが収容されている端部キャップ３を、ハンドル２の端部の開口部２ｃに挿入して、端部キャップ３がハンドル２から抜けないように、適宜、接着材やスナップ結合等で固定される。なお、製造順番は例示に過ぎず、本発明を限定するものではない。
【００３７】
なお、図４及ぶ図６に示す実施形態では、端部キャップ３に段差が形成されており、端部キャップ３の段差がハンドル２に挿入される構造としているが、これに限られるものではなく、ハンドル２の基端側に段差が形成されており、ハンドル２の段差が端部キャップ３に挿入される構造であってもよい。また、端部キャップ３とハンドル２の双方に、段差が形成されており、互い違いに挿入する構造であってもよい。本発明では、端部キャップ３がハンドル２の基端側の穴を蓋するような構造であれば、いかなる構造であってもよい。
【００３８】
なお、本実施形態では、重りを用いることとしたが、重りを用いず、図８に示すように、ハンドル２の内部を中空の構造とするものであってよく、中空構造の場合でも、上述のように、端部キャップ３がハンドル２の基端側の開口部２ｃを蓋するような構造であれば、端部キャップ３とハンドル２とは、いかなる構造であってもよい。
【００３９】
なお、本実施形態では、端部キャップ３の内部も空洞の筒状であるとした。しかし、図９に示すように、ハンドル２の内部に重りを収容するだけであれば、端部キャップ３の内部は空洞でなくてもよく、端部キャップ３の内部に重りを収容しなくてもよい。
【００４０】
なお、本実施形態では、Ｙ字状のハンドル２を用いることとしたが、回転体が１つのマッサージ器で使用するハンドルにも、本発明の構造を適用することが可能である。すなわち、回転体は、ハンドルの一端に可能に少なくとも一以上取り付けられていればよい。
【００４１】
なお、ハンドルとは、使用者が把持するための把持部であり、ハンドルの用語以外に、グリップ、取っ手などと表現される場合も本発明に含まれる。
【００４２】
なお、本発明において、ハンドルの湾曲形状は、特に限定されない。ハンドル自体がほとんど湾曲していない形状でもよいし、たとえば、図４の上側に反り返るように、本実施形態との湾曲方向とは逆な方向に湾曲していてもよい。いずれの湾曲形状を用いる場合でも、ハンドルの端部の開口部を蓋する端部キャップを用いることが可能であり、適宜、ハンドル及び／又は端部キャップの内部に重りを収容することが可能である。必要に応じて、重りは、複数に分割してもよいことは言うまでもない。
【００４３】
なお、ハンドル及び／又は端部キャップの内部には、電池などの部品を収容してもよい。その場合、マッサージ器が、電池によって発生した微弱電流をローラに流すように構成されているとよく、微弱電流をローラに流すための構成としては、周知のあらゆる手段が用いられる。
【００４４】
なお、本発明において、回転体４を、支持軸４ａの回りで回転可能にするための構造は、特に限定されるものではなく、種々に変更可能である。以下、図１０ないし図１５を参照しながら、変形例１ないし４について説明する。ただし、変形例１ないし４は、一例に過ぎず、回転体４を貫通構造として、回転体４を支持軸４ａの回りに回転可能に支持する構造であれば、他の構造が用いられてもよいことは、言うまでもない。
【００４５】
（変形例１）
図１０及び図１１に示すように、筒状の保持部８は、その両端に、軸受８ａ，８ｂを挿入することができるように、段差を有しており、両段差に、軸受８ａ，８ｂが挿入される。これによって、保持部８は、軸受８ａ，８ｂをその両端に保持することとなる。軸受８ａ，８ｂに、支持軸４ａが挿入される。軸受８ａ，８ｂは、滑り軸受であってもよいし、転がり軸受であってもよい。滑り軸受を用いる場合、滑り軸受は、樹脂製であってもよいし、金属製であってもよい。
【００４６】
保持部８が回転体４の内部に圧入されることで、回転体４と保持部８とが、密着した状態で、一緒に、支持軸４ａの回りを回転することとなる。このとき、軸受８ａ，８ｂを、保持部８の内部で空回りしないように嵌め合いを調整しておけば、回転体４の回転がより円滑なものとなる。ただし、本発明を限定するものではない。
【００４７】
保持部８は、金属製であるとよい。保持部８を金属製とすることで、回転体４側に荷重を加えることが可能となり、マッサージがし易くなる。また、保持部８を金属製とすることで、保持部８を回転体４の内部に圧入しやすくなる。ただし、保持部８は、金属製に限るものではない。
【００４８】
回転体４の表面とキャップ部５の表面とは、面一となり、段差が極力生じないようにしてある。
【００４９】
支持軸４ａに、軸受８ａ，８ｂ及び保持部８が挿入されて、軸受８ａの外側の支持軸４ａに、抜け止め部８ｃが取り付けられる。たとえば、支持軸４ａにおいて、抜け止め部８ｃが取り付けられる箇所は、ねじ切りされており、抜け止め部８ｃとして、ナットが用いられるとよい。その他、抜け止め部８ｃは、止め輪などであってもよく、その場合は、支持軸４ａに止め輪を留めるための切り込みが設けられているとよい。
【００５０】
支持軸４ａの先端は、断面がＤ字状にカットされたＤカット部４ｆを有している。断面がＤ字状にカットされたことを、Ｄカットと呼ぶことにする。キャップ部５は、Ｄカット部４ｆの形状に合わせて、断面がＤ字状のＤ状断面部５ａを有している。Ｄカット部４ｆとＤ状断面部５ａとを嵌め合わせることで、製造時、キャップ部５の向きを一定方向に揃えることが可能となる。これにより、たとえば、キャップ部５の表面に、ロゴやイラストなどの装飾を施したときに、その向きが所望の向きとなるように、容易に製造することができる。
【００５１】
なお、図１０に図示されているように、支持軸４ａの基端側もＤカットされており、軸孔２ｂも、Ｄ状断面となっている。これにより、支持軸４ａの向きが一定に決まる。よって、支持軸４ａの先端のＤカット部分の向きも一定に決まることとなるので、キャップ部５の向きも一定に決まってくることとなる。
【００５２】
ただし、支持軸４ａの先端におけるＤカット４ｆは、任意の構造である。Ｄカット部４ｆ及びＤ状断面部５ａは無くてもよい（他の変形例についても同様）。
【００５３】
このように、筒状の保持部８の両側から、軸受８ａ，８ｂを挿入して、支持軸４ａの先端側を抜け止め部８ｃで抜け止めし、さらに、その先端にキャップ部５を挿入することで、回転体４の表面を、非貫通の回転体のように、表面に段差がない構造とすることが可能となる。変形例１のような回転体４の内部構造は、製造がし易く、かつ、回転体４の回転を円滑なものとすることができる。
【００５４】
軸受８ａ，８ｂとして、樹脂製の滑り軸受を用いれば、錆が生じにくく、水場での使用も可能なマッサージ器１を提供することができる。
【００５５】
なお、樹脂製の滑り軸受を用いる場合、適宜、グリースなどを軸受８ａ，８ｂに塗布しておいてもよいことは、言うまでもない（他の変形例についても同様）。
【００５６】
（変形例２）
変形例１に対して、軸受８ａ，８ｂを、図１２及び図１３に記載のフランジ付きの軸受８ａ，８ｂに変更してもよい。フランジ付きの軸受８ａ，８ｂを、保持部８の両側の段差に、挿入し、軸受８ａ，８ｂに支持軸４ａを挿入すれば、支持軸４ａの回りを回転体４が円滑に回転するように構成することが可能となる。
【００５７】
典型的には、軸受８ａ，８ｂは、樹脂製であるとよいが、限定されるものではない。
【００５８】
変形例２において、フランジ付きの軸受８ａ，８ｂを用いる以外は、変形例１と同様の構造であり、変形例１と同様の作用効果が変形例２についても得られる。
【００５９】
（変形例３）
変形例２に対して、軸受８ａ，８ｂが保持部８の内部で空回りしないように、図１４に示すように、軸受８ａ，８ｂに凸部８ｄ，８ｅを設けて、凸部８ｄ，８ｅと嵌め合うように、保持部８の両側に凹部８ｆ，８ｇを設けるようにしてもよい。
【００６０】
典型的には、軸受８ａ，８ｂは、樹脂製であるとよいが、限定されるものではない。
【００６１】
凸部８ｄ，８ｅは、それぞれ少なくとも１つあればよいが、２つ以上あってもよい。
【００６２】
凸部８ｄ，８ｅと凹部８ｆ，８ｇとが嵌め合うことで、保持部８の内部で、軸受８ａ，８ｂが空回りするのが防止される。これにより、支持軸４ａの回りを回転体４が円滑に回転することとなる。
【００６３】
（変形例４）
変形例４は、図７に示す回転体４の内部構造に対する変形例であり、図１５に示すものである。なお、図１５では、変形例１に示すように、Ｄカット部４ｆ及びＤ状断面部５ａを用いているが、Ｄカット部４ｆ及びＤ状断面部５ａを用いなくてもよい。
【００６４】
図１５に示すように、軸受４ｃ，４ｄのサイズを異なるサイズのものとしてもよい。たとえば、支持軸４ａの基端側を大きい軸受４ｃとし、先端側を小さい軸受４ｄとする。
【００６５】
このとき、軸受４ｃ，４ｄは、転がり軸受以外に、樹脂製又は金属製の滑り軸受を用いてもよい。たとえば、軸受４ｃ，４ｄとして、金属製の滑り軸受を用いる場合、軸受４ｃを大きくすることで、回転体４の分岐部２ａ側が重くなるので、マッサージがし易くなる。
【００６６】
このように、支持軸４ａの回りで回転体４が回転するために、２つの軸受を用いる場合に、分岐部２ａ側の軸受を大きくすることで、回転体４の分岐部２ａ側を重くすることができ、その結果、分岐部２ａ側に重みがかかって、マッサージがし易くなる。
【００６７】
なお、大小関係は、本発明を限定するものではなく、当然、軸受４ｃ，４ｄは、同じ大きさであってもよいし、先端側の軸受４ｄ側が大きくてもよい。
【００６８】
なお、変形例１ないし３に示す軸受８ａ，８ｂは、保持部８の両側に挿入されることとしたが、保持部８の貫通構造を調整すれば、保持部８のどちらか片側から、１つの軸受が挿入されるようにしてもよい。すなわち、保持部８には、片側又は両側から挿入される少なくとも一以上の軸受が用いられていればよい。
【００６９】
なお、図７及び変形例４に示す軸受４ｃ，４ｄについても、回転体４の貫通構造を調整すれば、どちらか一方の軸受だけでもよい。
【００７０】
なお、支持軸４ａ及びキャップ部５の向きを一定に揃えるために、支持軸４ａの基端及び先端をＤカットとし、軸孔２ｂ及びキャップ部５に、Ｄカットに合せた断面を有する凹部を構成することとしたが、支持軸４ａ及びキャップ部５の向きを一定に揃えるための構成としては、Ｄカットに限るものではなく、向きを揃えるための周知の構造を採用することが可能である。たとえば、支持軸４ａの基端及び先端に、切り込みを入れて、当該切り込みにあう形状の孔を軸孔２ｂ及びキャップ部５に設けてもよい。また、支持軸４ａの基端及び先端を断面多角形又は断面楕円状にして、当該多角形又は楕円にあう形状の孔を軸孔２ｂ及びキャップ部５に設けてもよい。
【００７１】
支持軸４ａ及びキャップ部５の向きを一定に揃えるための構成とは、支持軸４ａがハンドル２から回転してしまわないための構造、及び、キャップ５が支持軸４ａから回転してしまわないための構造であると言い換えることも可能である。
【００７２】
なお、本明細書及び図面を用いて説明した回転体４の内部構造については、端部キャップを用いないマッサージ器に対しても当然に採用することができる構造であり、当該内部構造単独で、発明として成立するものであることは言うまでもない。
【００７３】
すなわち、ハンドルの一端に回転可能に取り付けられた一以上の回転体を備えるマッサージ器において、回転体の内部に圧入される保持部と、保持部に挿入される軸受と、保持部及び軸受に挿入される支持軸と、支持軸の先端側に取り付けられた抜け止め部と、抜け止め部の先端に取り付けられるキャップ部とを備えるマッサージ器が、本明細書及び図面に開示されている。そして、回転体は、貫通しており、回転体とキャップ部とが、面一となるように構成されている。
【００７４】
具体的には、回転体は、支持軸を通る断面において、弧状の湾曲形状を有しており、キャップ部は、当該弧状の湾曲形状に沿った湾曲形状を有することで、回転体とキャップ部とが、面一になるように、構成されている。
【００７５】
そして、回転体とキャップ部との間には、クリアランスが設けられており、回転体は、キャップ部とは独立して、別に回転するようになっている。
【００７６】
このような貫通状態の回転体とキャップ部を用いることで、回転体があたかも非貫通の回転体のように扱って、マッサージを行なうことが可能となる。
【００７７】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【００７８】
本発明は、マッサージ器であり、産業上利用可能である。
【符号の説明】
【００７９】
１  マッサージ器
２  ハンドル
２ａ  分岐部
２ｂ  軸孔
２ｃ  開口部
３  端部キャップ
３ａ  凸部
４  回転体
４ａ  支持軸
４ｂ  抜け止め具
４ｃ，４ｄ  軸受
４ｅ  貫通孔
４ｆ  Ｄカット部
５  キャップ部
５ａ  Ｄ状断面部
６  粒
７ａ，７ｂ  重り
７ｃ  溝
８  保持部
８ａ，８ｂ  軸受
８ｃ  抜け止め部
【図１】
2020022777.tif 000003
【図２】
2020022777.tif 000004
【図３】
2020022777.tif 000005
【図４】
2020022777.tif 000006
【図５】
2020022777.tif 000007
【図６】
2020022777.tif 000008
【図７】
2020022777.tif 000009
【図８】
2020022777.tif 000010
【図９】
2020022777.tif 000011
【図１０】
2020022777.tif 000012
【図１１】
2020022777.tif 000013
【図１２】
2020022777.tif 000014
【図１３】
2020022777.tif 000015
【図１４】
2020022777.tif 000016
【図１５】
2020022777.tif 000017